(57)【要約】【課題】蓋体の開閉動作を検出するための磁気センサおよび磁石がともに蓋体の回転中心軸に接近して設けられている場合であっても、蓋体の開閉動作を正確に検出することが可能な操作装置を提供する。【解決手段】操作装置本体部１に対して回転可能に取り付けられた蓋体２と、操作装置本体部１および蓋体２に取り付けられた蓋体開閉検出用の磁石ＭＧ１および磁気センサＳと、を備えている、操作装置Ａであって、磁気センサＳは、特定方向Ｎ２，Ｎ２’の磁界の検出感度が他の方向の磁界の検出感度よりも優れるように指向性をもち、蓋体２の回転動作に伴って磁気センサＳまたは磁石ＭＧ１の姿勢が変化することにより、蓋体２が閉じたときには磁石ＭＧ１の磁界の方向Ｎ１またはＮ１’が特定方向Ｎ２，Ｎ２’と一致する一方、蓋体２が開いたときには磁石ＭＧ１の磁界の方向Ｎ１またはＮ１’が特定方向Ｎ２，Ｎ２’とは一致しなくなるように構成されている。【選択図】  図２
2006337002.tif 000002
【特許請求の範囲】
【請求項１】
操作部が設けられた筐体を含む操作装置本体部と、
前記操作装置本体部の少なくとも一部分を覆うことが可能に前記操作装置本体部に対して回転可能に取り付けられた蓋体と、
前記操作装置本体部および蓋体の一方に取り付けられた磁石と、
前記操作装置本体部および蓋体の他方に取り付けられ、かつ前記蓋体が閉じて前記磁石が接近したときにその旨を検出するための磁気センサと、
を備えている、操作装置であって、
前記磁気センサとしては、特定方向の磁界の検出感度が他の方向の磁界の検出感度よりも優れるように指向性をもつものが用いられており、
前記蓋体の回転動作に伴って前記磁気センサまたは前記磁石の姿勢が変化することにより、前記蓋体が閉じたときには前記磁石の磁界の方向が前記特定方向と一致する一方、前記蓋体が開いたときには前記磁石の磁界の方向が前記特定方向とは一致しなくなるように構成されていることを特徴とする、操作装置。
【請求項２】
前記磁気センサは、前記特定方向が前記蓋体の回転中心軸に対して傾いた方向となるように設けられているとともに、前記磁石は、前記蓋体が閉じられて前記磁気センサに接近したときにその磁界の方向が前記特定方向に一致して前記回転中心軸に対して傾くように設けられていることにより、前記蓋体が開かれたときには、前記磁石の磁界の方向が前記特定方向とは一致しなくなるように構成されている、請求項１に記載の操作装置。
【請求項３】
前記回転中心軸に対する前記特定方向の傾き角、および前記回転中心軸に対する前記磁界の方向の傾き角は、ともに略４５度である、請求項２に記載の操作装置。
【請求項４】
前記蓋体に取り付けられた磁性体と、前記操作装置本体部に設けられ、かつ前記蓋体が閉じられたときに前記蓋体の閉じ状態を保持するように前記磁性体に対する吸着力を発揮する蓋体ロック用の磁石と、をさらに備えており、
前記磁気センサは、前記操作装置本体部のうち、前記蓋体ロック用の磁石よりも前記蓋体の回転中心軸寄りに設けられているとともに、前記磁気センサに対応する磁石は、前記蓋体のうち、前記磁性体よりも前記回転中心軸寄りに設けられている、請求項１ないし３のいずれかに記載の操作装置。
【発明の詳細な説明】
【技術分野】
【０００１】
本発明は、たとえば給湯装置の遠隔操作装置などとして用いるのに好適な操作装置、さらに詳しくは、操作装置本体部に開閉式の蓋体が取り付けられ、かつこの蓋体の開閉動作が磁気センサを用いて検出されるように構成されたタイプの操作装置に関する。
【背景技術】
【０００２】
従来、給湯装置用の操作装置としては、たとえば特許文献１に記載されたものがある。同文献に記載された操作装置は、スイッチ本体部が設けられた筐体を含んで構成された操作装置本体部と、この操作装置本体部に回転可能に取り付けられた蓋体とを備えている。この蓋体は、前記スイッチ本体部を覆った状態と開放した状態とに切り替え可能であり、この蓋体には、前記スイッチ本体部を覆った状態において前記スイッチ本体部を操作可能とする操作部が設けられている。一方、前記操作装置本体部および蓋体には、蓋体の開閉を検出するための磁気センサおよび磁石が設けられている。蓋体が閉じた際には、磁石が磁気センサに接近してその磁界が検出されることにより、その旨が判別される。これとは反対に、蓋体が開いた際には、磁気センサから磁石が離間して磁界検出がなされなくなるために、その旨が判別される。
【０００３】
このような構成の操作装置によれば、蓋体を閉じてその操作部を操作することにより操作装置本体部のスイッチ本体部が間接的に操作される場合と、蓋体が開かれた状態でスイッチ本体部が直接操作される場合とでは、スイッチ操作の内容を異なるものとして処理することが可能となる。したがって、操作スイッチの見掛け上の総数を少なくすることに加え、たとえば操作頻度の高いスイッチ操作については蓋体を閉じた状態で行なわせるなどして、スイッチ操作の容易化を図ることができる。さらに、蓋体の開閉検出は、磁気センサと磁石とを利用した非接触方式で行なわれるために、故障などを生じ難く、また操作装置本体部や蓋体の防水処理などを個々に図るのにも好適となる。
【０００４】
しかしながら、前記従来技術においては、未だ改善すべき課題があり、この点を図６の模式図を参照して説明する。
【０００５】
すなわち、図６（ａ）において、操作装置本体部９０に取り付けられた蓋体９１の開閉動作の検出を正確に行なうためには、磁気センサＳ１および磁石ＭＧ３が、ともに蓋体９１の回転中心軸Ｃ１から遠く離れていることが好ましい。このようにすると、同図仮想線に示すように蓋体９１が下向きに開いた際に、磁気センサＳ１と磁石ＭＧ３との距離Ｌ１が長くなり、磁石ＭＧ３の磁界を磁気センサＳ１が検出する虞れが少なくなるからである。
【０００６】
これに対し、操作装置を実際に製作する場合には、種々の事情に起因し、前記したような構成を採用することができない場合がある。たとえば、この種の操作装置においては、同図（ｂ）に示すように、磁性体９４および追加の磁石ＭＧ４を利用し、蓋体９１が閉じた際に磁性体９４を磁石ＭＧ４に吸着させることによってその状態を維持させるストップロック機構を設けたい場合がある。このようなストップロック機構においては、磁性体９４および磁石ＭＧ４をできる限り蓋体９１の回転中心軸Ｃ１から離れた箇所に配置することが望まれる。このようにすると、蓋体９１を開くのに必要な操作トルクが大きくなり、蓋体９１のロック状態が確実化されるからである。
【０００７】
ところが、磁石ＭＧ４を前記のような配置にした場合、磁気センサＳ１については、磁石ＭＧ４の磁界を検出しないように、回転中心軸Ｃ１の近傍に配置する必要が生じる。磁石ＭＧ３についても、それに対応させて回転中心軸Ｃ１に接近させる必要がある。すると、同図（ｂ）の仮想線に示すように蓋体９１を下向きに開いた場合においても、磁石ＭＧ３と磁気センサＳ１との距離Ｌ２は短いままとなって、磁気センサＳ１が磁石ＭＧ３の磁界を検出し、蓋体９１の開状態が正確に検出されない虞れが生じる。近年においては、操作装置の小型化が要請され、磁気センサＳ１や磁石ＭＧ３の配置に大きな制約を受ける場合が多いために、磁性体９４や磁石ＭＧ４を用いない場合であっても、磁気センサＳ１や磁石ＭＧ３を回転中心軸Ｃ１に接近させて配置しなければならない場合があり、前記したような問題点を生じていた。
【０００８】
【特許文献１】特開平６−２２９６２４号公報
【発明の開示】
【発明が解決しようとする課題】
【０００９】
本発明は、前記した事情のもとで考え出されたものであって、蓋体の開閉動作を検出するための磁気センサおよび磁石がともに蓋体の回転中心軸に接近して設けられている場合であっても、蓋体の開閉動作を正確に検出することが可能な操作装置を提供することを、その課題としている。
【課題を解決するための手段】
【００１０】
上記の課題を解決するため、本発明では、次の技術的手段を講じている。
【００１１】
本発明により提供される操作装置は、操作部が設けられた筐体を含む操作装置本体部と、前記操作装置本体部の少なくとも一部分を覆うことが可能に前記操作装置本体部に対して回転可能に取り付けられた蓋体と、前記操作装置本体部および蓋体の一方に取り付けられた磁石と、前記操作装置本体部および蓋体の他方に取り付けられ、かつ前記蓋体が閉じて前記磁石が接近したときにその旨を検出するための磁気センサと、を備えている、操作装置であって、前記磁気センサとしては、特定方向の磁界の検出感度が他の方向の磁界の検出感度よりも優れるように指向性をもつものが用いられており、前記蓋体の回転動作に伴って前記磁気センサまたは前記磁石の姿勢が変化することにより、前記蓋体が閉じたときには前記磁石の磁界の方向が前記特定方向と一致する一方、前記蓋体が開いたときには前記磁石の磁界の方向が前記特定方向とは一致しなくなるように構成されていることを特徴としている。
【００１２】
本発明によれば、蓋体を閉じたときには、磁石の磁界の方向が特定方向となるために、磁気センサによってその磁界を高感度で検出し、蓋体が閉じた旨を正確に検出することができる。その一方、蓋体を開いたときには、磁石の磁界の方向が特定方向とは異なる方向となるために、仮に、これら磁石と磁気センサとの距離が短い場合であっても、この磁石の磁界が磁気センサによって検出される虞れは無くなり、または少なくなる。その結果、本発明によれば、従来技術とは異なり、磁気センサおよび磁石を蓋体の回転中心軸に接近させて設けた場合であっても、蓋体の開閉の誤検出がなされる可能性を無くし、または少なくし、蓋体の開閉動作を正確に判別することができるという利点が得られる。
【００１３】
本発明の好ましい実施の形態においては、前記磁気センサは、前記特定方向が前記蓋体の回転中心軸に対して傾いた方向となるように設けられているとともに、前記磁石は、前記蓋体が閉じられて前記磁気センサに接近したときにその磁界の方向が前記特定方向に一致して前記回転中心軸に対して傾くように設けられていることにより、前記蓋体が開かれたときには、前記磁石の磁界の方向が前記特定方向とは一致しなくなるように構成されている。
【００１４】
このような構成によれば、前記特定方向および前記磁石の磁界の方向が蓋体の回転中心軸に対して傾くように設けただけの非常に簡易な構成により、本発明の意図する作用が得られる。特殊な部品を追加して設ける必要はなく、操作装置の製造も容易である。
【００１５】
本発明の好ましい実施の形態においては、前記回転中心軸に対する前記特定方向の傾き角、および前記回転中心軸に対する前記磁界の方向の傾き角は、ともに略４５度である。
【００１６】
このような構成によれば、たとえば蓋体をその閉状態から回転中心軸周りに約１８０度の角度で開かせると、前記特定方向と前記磁石の磁界の方向とは、約９０度相違することとなる。この状態では、磁気センサが磁石の磁界を最も検出し難い状態となり、蓋体の開動作の誤検出を防止するのに最適となる。
【００１７】
本発明の好ましい実施の形態においては、前記蓋体に取り付けられた磁性体と、前記操作装置本体部に設けられ、かつ前記蓋体が閉じられたときに前記蓋体の閉じ状態を保持するように前記磁性体に対する吸着力を発揮する蓋体ロック用の磁石と、をさらに備えており、前記磁気センサは、前記操作装置本体部のうち、前記蓋体ロック用の磁石よりも前記蓋体の回転中心軸寄りに設けられているとともに、前記磁気センサに対応する磁石は、前記蓋体のうち、前記磁性体よりも前記回転中心軸寄りに設けられている。
【００１８】
このような構成によれば、蓋体を閉じた際には、前記磁性体と蓋体ロック用の磁石との吸着作用を利用してその状態を適切に維持させることができる。前記磁性体および蓋体ロック用の磁石は、磁気センサやこれに対応する磁石よりも蓋体の回転中心軸から離れた位置に配置されるために、これら磁性体と蓋体ロック用の磁石を用いた蓋体のロックを効率良く、かつ適切に行なうことができる。その一方、磁気センサとこれに対応する磁石とは、蓋体の回転中心軸に接近して設けられているが、前記したように、本発明によれば、そのように磁気センサと磁石とが接近して設けられている場合であっても、蓋体の開閉の誤検出が適切に防止される。
【００１９】
本発明のその他の特徴および利点は、添付図面を参照して以下に行なう発明の実施の形態の説明から、より明らかになるであろう。
【発明を実施するための最良の形態】
【００２０】
以下、本発明の好ましい実施の形態を、図面を参照して具体的に説明する。
【００２１】
図１〜図３は、本発明に係る操作装置の一実施形態を示している。本実施形態の操作装置Ａは、給湯装置の遠隔操作用であり、風呂場あるいは台所などに設置され、給湯装置のメインコントローラと配線接続された状態で使用される。この操作装置Ａは、操作装置本体部１、この操作装置本体部１に対して中心軸Ｃ周りに回転可能に取り付けられ、かつ図１に示す閉状態と図２に示す開状態とに切り替え設定可能な蓋体２、磁気センサＳ、および磁石ＭＧ１を備えている。
【００２２】
操作装置本体部１は、たとえばＡＢＳ樹脂などの樹脂製の筐体１０を含んで構成されている。この筐体１０は、正面視中空矩形状の枠体１０ａと、この枠体１０に嵌め込まれたパネル部１０ｂとを有している。パネル部１０ｂには、図２によく表われているように、複数の第１の操作部１１が設けられている。これら複数の第１の操作部１１は、ユーザによってその正面側から押圧操作されると、パネル部１０ｂの背面側に若干量だけ部分的に後退するようになっている。図３によく表われているように、パネル部１０ｂの背面側には、データ処理部１２が取り付けられており、第１の操作部１１が背面側に後退した際には、このデータ処理部１２がその旨を検出し、かつ第１の操作部１１の操作内容に対応して予め定められた信号処理を行なうように構成されている。なお、図３においては、パネル部１０ｂに設けられている第１の操作部１１の断面構造を省略している。また、データ処理部１２は、たとえばプリント配線板１２ａ上にＣＰＵ、メモリ、およびその他の電子・電気部品が実装されることにより構成されている。プリント配線板１２ａには、各種のデータを画像表示するための手段として、たとえば液晶パネル（図示略）も搭載されており、図１および図２に示すように、パネル部１０ｂには、この液晶パネルの表示画面を透視するための窓部１３も設けられている。
【００２３】
蓋体２は、筐体１０と同様な樹脂製であり、筐体１０の前面寄りの下部に一対の軸部２０を介して取り付けられている。それら軸部２０の中心軸およびその延長軸が、蓋体２の回転中心軸Ｃである。この蓋体２は、複数の第２の操作部２１を有しており、図１に示すように閉状態とされたときには、操作装置本体部１のうち、複数の第１の操作部１１が設けられている部分を覆い、かつ複数の第２の操作部２１のそれぞれが複数の第１の操作部１１の正面に重なって位置するように構成されている。このような状態で各第２の操作部２１が押圧操作されると、その背後に位置する第１の操作部１１が第２の操作部２１によって押圧され、これがデータ処理部１２によって検出されるようになっている。
【００２４】
蓋体２は、磁性体２３と磁石ＭＧ２とを利用して閉状態に保持されるように構成されている。磁性体２３は、たとえば薄肉の鉄片であり、蓋体２に接着されるなどして取り付けられている。磁石ＭＧ２は、操作装置本体部１のパネル部１０ｂの裏面側に固定して取り付けられている。これら磁性体２３や磁石ＭＧ２は、第１および第２の操作部１１，２１との干渉を生じないようにしてできる限り回転中心軸Ｃから離れた箇所に設けられている。このようにすれば、磁石ＭＧ２の吸着力に抗して蓋体２を開ける際に大きなトルクが必要となり、蓋体２のロックが確実化される。蓋体２は、閉状態から１８０度開かせると、図３（ｂ）に示すように操作装置本体部１の下方に垂れ下がった姿勢となり、この姿勢で安定させることが可能である。
【００２５】
磁石ＭＧ１および磁気センサＳは、蓋体２の開閉を検出するためのものである。磁石ＭＧ１は、たとえば薄手の矩形シート状またはプレート状であり、蓋体２の裏面に接着するなどして取り付けられている。ただし、この磁石ＭＧ１の磁界の方向は、矢印Ｎ１方向、またはこれとは正反対の矢印Ｎ１’方向であり、これらの方向は回転中心軸Ｃに対して角度θ１だけ傾くように設けられている。角度θ１は、たとえば略４５度である。なお、本実施形態においては、磁石ＭＧ１が長矩形状とされ、かつその長手方向が磁界の方向とされている。このため、磁界の方向Ｎ１またはＮ１’を回転中心軸Ｃに対して斜めにするための手段として、この磁石ＭＧ１自体を斜めに取り付けている。ただし、本発明はこれに限定されず、磁石を斜めの姿勢に設けることなく、その磁界の方向を斜めに設定させてもよい。これは、矩形シートに着磁処理を施して磁石を作製する際に、その着磁方向を矩形シートに対して斜め方向に設定することにより可能である。また、これとは異なり、着磁されたマグネットシートを複数の小さな矩形状のシートとして切断する際に、その切断方向を着磁方向に対して斜め方向とすることによっても可能である。
【００２６】
磁気センサＳは、たとえばＭＲ(magneto-resistance)素子を用いて構成されたものであり、磁界の検出感度に指向性をもっている。より具体的には、この磁気センサＳは、長矩形のＭＲ素子の長手方向Ｎ２，Ｎ２’を磁界検出方向とするものであって、同方向の磁界の検出感度が最も高く、検出対象磁界の方向がそれらの方向Ｎ２，Ｎ２’からずれるにしたがってその検出感度は低くなる。磁気センサＳは、回転中心軸Ｃに対して角度θ２だけ傾斜するようにして、操作装置本体部１のプリント配線板１２ａ上に実装されている。角度θ２は、たとえば略４５度であり、図１に示すように、蓋体２を閉じた際には、磁界検出方向Ｎ２，Ｎ２’と磁石ＭＧ１の磁界の方向Ｎ１，Ｎ１’とが一致するようになっている。この磁気センサＳは、蓋体ロック用の磁石ＭＧ２による磁界を検出しないように、回転中心軸Ｃ寄りに配されて磁石ＭＧ２とは離間している。磁石ＭＧ１も、それに対応して蓋体２の回転中心軸Ｃ寄りに配されている。なお、磁気センサＳが磁石ＭＧ１の磁界を検出した際には、その旨の信号がデータ処理部１２に送信され、蓋体２が閉じられているとの判断がなされる。これに対し、磁石ＭＧ１の磁界が検出されないときには、蓋体２が開いているとの判断がなされる。データ処理部１２は、蓋体２が閉じられているか否かにより、第１の操作部１１が操作された際の信号処理の仕方を相違させるようになっている。
【００２７】
次に、前記した操作装置Ａの作用について説明する。
【００２８】
まず、図１に示すように、蓋体２を閉じた際には、磁石ＭＧ１が磁気センサＳに接近する。既述したとおり、その際には、磁石ＭＧ１の磁界の方向Ｎ１またはＮ１’は、磁気センサＳの磁界検出方向Ｎ２，Ｎ２’に一致する。したがって、磁気センサＳは、磁石ＭＧ１の磁界を確実に検出することとなり、データ処理部１２においては、蓋体２が閉じた旨の判断が正確になされることとなる。
【００２９】
次いで、図２に示すように、蓋体２を１８０度開いた際には、磁石ＭＧ１が磁気センサＳから離間する。また、蓋体２の回転に伴って磁石ＭＧ１の姿勢が変化することにより、その磁界の方向Ｎ１またはＮ１’は、磁気センサＳの磁界検出方向Ｎ２，Ｎ２’とは約９０度相違した向きとなる。このため、磁気センサＳは磁石ＭＧ１の磁界を検出しないこととなる。磁気センサＳは、磁石ＭＧ２からの磁界を受けないように回転中心軸Ｃの近傍に設けられ、また磁石ＭＧ１もそれに対応して回転中心軸Ｃの近傍に設けられているために、蓋体２を開いた際の両者の距離Ｌａ（図３（ｂ）参照）は比較的短いものの、前記した作用により磁気センサＳは磁石ＭＧ１の磁界を検出しないこととなって、蓋体２の開状態が的確に判断される。データ処理部１２は、蓋体２が開閉いずれの状態にあるかによって、第１の操作部１１が押圧された際のデータ処理内容を相違させているために、前記したように蓋体２の開閉が正確に判断されれば、そのようなデータ処理に誤りが生じないようにすることが可能となる。
【００３０】
前記実施形態においては、磁石ＭＧ１の磁界の方向Ｎ１，Ｎ１’、および磁気センサＳの磁界検出方向Ｎ２，Ｎ２’が、ともに回転中心軸Ｃに対して略４５度の角度で傾斜しているが、本発明は、前記とは異なる傾斜角にしてもかまわない。前記以外の傾斜角であっても、蓋体２が開いた際に磁石ＭＧ１の磁界の方向を、磁気センサＳの磁界検出方向とは相違する方向にずらせることが可能であり、このことにより誤検出防止効果が得られるからである。
【００３１】
図４および図５は、本発明の他の実施形態を示している。なお、これらの図において、前記実施形態と同一または類似の要素には、前記実施形態と同一の符号を付している。
【００３２】
本実施形態の操作装置Ａ１は、図４（ａ）に示すように、その正面視においては、磁石ＭＧ１の磁界の方向Ｎ１またはＮ１’、および磁気センサＳの磁界検出方向Ｎ２，Ｎ２’は、ともに回転中心軸Ｃに対して傾いておらず、回転中心軸Ｃに対して平行である。ただし、同図（ｂ）に示すように、磁気センサＳは、その底面視または平面視において、回転中心軸Ｃに対して角度θ３だけ傾いている。この角度θ３は、たとえば略４５度であり、このような傾きは、たとえばプリント配線板１２ａの磁気センサＳが実装される部分を傾斜させるなどして、磁気センサＳを傾かせて実装することにより実現可能である。一方、同図（ｃ）に示すように、磁石ＭＧ１は、その底面視または平面視において、磁界の方向Ｎ１またはＮ１’が回転中心軸Ｃに対して角度θ４だけ傾くように設けられている。また、その傾き方向は、蓋体２が開いた状態において、磁気センサＳの磁界検出方向Ｎ２，Ｎ２’の傾き方向とは反対方向である。このような磁界の方向Ｎ１，Ｎ１’の傾きは、たとえば蓋体２の磁石ＭＧ１が取り付けられる部分を傾斜面とし、磁石ＭＧ１を傾斜させることによって実現可能である。
【００３３】
本実施形態においては、蓋体２を開いた際には、図４（ｂ），（ｃ）に示すように、磁気センサＳの磁界検出方向Ｎ２，Ｎ２’と、磁石ＭＧ１の磁界の方向Ｎ１またはＮ１’とは、約９０度相違する。このため、やはり磁気センサＳと磁石ＭＧ１との距離が短い場合であっても、磁石ＭＧ１の磁界が磁気センサＳによって検出されないようにすることができる。一方、図５（ａ），（ｂ）に示すように、蓋体２を閉じて磁石ＭＧ１が磁気センサＳに接近したときには、この磁石ＭＧ１の姿勢が蓋体２の回転に伴って変化することにより、この磁石ＭＧ１の傾き方向が磁気センサＳの傾き方向と一致し、磁界の方向Ｎ１またはＮ１’が、磁界検出方向Ｎ２，Ｎ２’と一致することとなる。このため、磁石ＭＧ１の磁界が磁気センサＳによって適切に検出される。本実施形態から理解されるように、磁石ＭＧ１の磁界の方向や磁気センサＳの磁界検出方向を回転中心軸Ｃに対して傾斜させる場合、正面視においては傾きの無い状態としつつ、これとは異なる方向において傾斜させるようにすることもできる。
【００３４】
本発明は、上述した実施形態に限定されない。本発明に係る操作装置の各部の具体的な構成は、種々に設計変更自在である。
【００３５】
ＭＲ素子を用いた磁気センサは、他の磁気センサと比較して、性能面やコスト面などの多くの点において優れている。磁気センサとしては、このＭＲ素子を用いることが好ましいものの、本発明は、これに限定されない。本発明においては、磁気検出に指向性をもつタイプの磁気センサであれば、種々のタイプのものを用いることが可能である。
【００３６】
本発明においては、磁気センサを蓋体に設け、かつ磁石を操作装置本体部に設けた構成とすることもできる。ただし、この場合には、開閉可能な蓋体に設けられた磁気センサに対する電気配線が複雑化する虞れがあるため、前記実施形態のように、磁気センサを操作装置本体部に設ける構成とすることが好ましい。
【００３７】
本発明に係る操作装置は、給湯装置用のものとして構成するのに好適であるが、やはりこれに限定されない。給湯装置以外の種々の装置、機器類の遠隔操作用、または遠隔操作用以外の操作装置として構成することもできる。蓋体は、必ずしも操作部を備えている必要はなく、単に操作装置本体部の一部または全体を覆うためのものとして構成されていてもよい。蓋体は、操作装置本体部に設けられている操作部を覆うものでなくてもよく、たとえば操作装置本体部に画像表示部あるいはそれ以外の保護すべき部分が設けられている場合に、これを保護する目的としてこの部分を覆うように構成されていてもかまわない。
蓋体の回転角度は、１８０度である必要もなく、たとえば９０度程度の範囲で開閉する蓋体とすることもできる。回転方向も上下方向（略鉛直方向）に代えて、水平方向に回転（回転中心軸は略鉛直方向）するようにしてもよい。
【図面の簡単な説明】
【００３８】
【図１】本発明に係る操作装置の一例を示す正面図である。
【図２】図１に示す操作装置の蓋体を開いた状態を示す正面図である。
【図３】（ａ）は、図１のIIIａ−IIIａ概略断面図であり、（ｂ）は、図２のIIIｂ−IIIｂ概略断面図である。
【図４】（ａ）は、本発明に係る操作装置の他の例を模式的に示す要部正面図であり、（ｂ）は、（ａ）のIVｂ−IVｂ要部断面図であり、（ｃ）は、（ａ）のIVｃ−IVｃ要部断面である。
【図５】（ａ）は、図４に示した操作装置の蓋体を閉じた状態を模式的に示す要部正面図であり、（ｂ）は、（ａ）のＶ−Ｖ断面図である。
【図６】（ａ），（ｂ）は、従来技術の問題点を模式的に説明するための図である。
【符号の説明】
【００３９】
Ａ，Ａ１        操作装置
Ｃ              回転中心軸
Ｓ              磁気センサ
ＭＧ１          磁石
ＭＧ２          磁石
Ｎ１，Ｎ１’    磁界の方向
Ｎ２，Ｎ２’    磁界検出方向（特定方向）
１              操作装置本体部
２              蓋体
１０            筐体
２３            磁性体
【図１】
2006337002.tif 000003
【図２】
2006337002.tif 000004
【図３】
2006337002.tif 000005
【図４】
2006337002.tif 000006
【図５】
2006337002.tif 000007
【図６】
2006337002.tif 000008